(57)【要約】【課題】テープ、糊、ビス等を使用せず、強度があり、ベッドの長さが伸縮可能な段ボールベッドを提供する【解決手段】ヘッド側板状脚（１）と、フット側板状脚（２）と、第１中間板状脚（３）と、第２中間板状脚（４）と、ヘッド側板状脚（１）と、第１中間板状脚（３）を連結して前方ベッド体（１６）を形成する長尺桁（５）と、第２中間板状脚（４）と、フット側板状脚（２）を連結して後方ベッド体（１７）を形成する長尺桁（５’）と、第１中間板状脚（３）と、第２中間板状脚（４）を連結する繋ぎ桁（１２）と、が備えられ、繋ぎ桁（１２）に設けられた複数の下係止溝（９）の中から、溝間の長さが異なる２つの溝を使用することにより、前方ベッド体（１６）と後方ベッド体（１７）の間の長さを変更可能とした。【選択図】図２
2019122644.tif 000002
【特許請求の範囲】
【請求項１】
段ボールからなる嵌め込み式の段ボールベッドであって、
ヘッド側板状脚（１）と、
フット側板状脚（２）と、
第１中間板状脚（３）と、
第２中間板状脚（４）と、
ヘッド側板状脚（１）と、第１中間板状脚（３）を連結して前方ベッド体（１６）を形成する長尺桁（５）と、
第２中間板状脚（４）と、フット側板状脚（２）を連結して後方ベッド体（１７）を形成する長尺桁（５’）と、
第１中間板状脚（３）と、第２中間板状脚（４）を連結する繋ぎ桁（１２）と、
が備えられ、
繋ぎ桁（１２）に設けられた複数の下係止溝（９）の中から、溝間の長さが異なる２つの溝を使用することにより、前方ベッド体（１６）と後方ベッド体（１７）の間の長さを変更可能としたことを特徴とする段ボールベッド。
【請求項２】
段ボールからなる嵌め込み式の段ボールベッドであって、
ヘッド側板状脚（１）と、
フット側板状脚（２）と、
第１中間板状脚（３）と、
第２中間板状脚（４）と、
第１中間板状脚（３）の通し溝（８、１０）を通して、ヘッド側板状脚（１）と第２中間板状脚（４）を連結し、前方ベッド体（１６）を形成する長尺桁（５）と、
第２中間板状脚（４）の通し溝（８、１０）を通して、フット側板状脚（２）と第１中間板状脚（３）を連結し、後方ベッド体（１７）を形成する長尺桁（５’）と、
が備えられ、
前方ベッド体（１６）と後方ベッド体（１７）が、互いにスライド可能としたことを特徴とする段ボールベッド。
【請求項３】
ヘッド側板状脚（１）は、左右に綴じ代（２０、２１）を有し、中詰め板（１ａ）を挟んで、上下に折り畳まれ、ベッド面となる高さには、複数の係止孔（６）が設けられることを特徴とする請求項１又は２に記載の段ボールベッド。
【請求項４】
フット側板状脚（２）と、第１中間板状脚（３）と、第２中間板状脚（４）と、はいずれも上綴じ代（１８）、下綴じ代（１９）、左綴じ代（２０）、右綴じ代（２１）を備えており、中詰め板（２ａ、３ａ、４ａ）を挟んで、上下に折り畳み、各綴じ代を内側に綴じ込むことを特徴とする請求項１又は２に記載の段ボールベッド。
【請求項５】
前方ベッド体（１６）と後方ベッド体（１７）の上部に、天板（１３）が設けられることを特徴とする請求項１又は２に記載の段ボールベッド。
【請求項６】
長尺桁（５、５’）は、長手方向に並行な両側が、内側に折り畳まれて形成されることを特徴とする請求項１又は２に記載の段ボールベッド。
【発明の詳細な説明】
【技術分野】
【０００１】
本発明は、段ボールベッドに係り、より詳しくは、嵌め込み式で、伸縮可能に組み立てることができる段ボールベッドに関する。
【背景技術】
【０００２】
特許文献１の段ボール製の組立式ベッドは、段ボールからなり、井桁状の台座を枠体で挟み込み、ベッドを組み立てている。簡単に組み立てできるが、ベッドの長さを伸縮させることは示されていない。特許文献２の伸縮ベッドは、木製のもので、前床に対し後床をスライドさせ、ベッドを伸縮可能としている。段ボールのみからなるベッドで、テープ、糊、ビス等を使用せず、しかも堅固な作りで、伸縮可能に組み立てることができるベッドは、これまでなかった。
【先行技術文献】
【特許文献】
【０００３】
【特許文献１】実用新案登録第３２０４２３６号公報
【特許文献２】実用新案登録第３１４５６８６号公報
【発明の概要】
【発明が解決しようとする課題】
【０００４】
本発明の目的は、テープ、糊、ビス等を使用せず、強度があって、伸縮可能に組み立てることができる段ボールベッドを提供することにある。
【課題を解決するための手段】
【０００５】
本発明による段ボールベッドは、段ボールからなる嵌め込み式の段ボールベッドであって、ヘッド側板状脚（１）と、フット側板状脚（２）と、第１中間板状脚（３）と、第２中間板状脚（４）と、ヘッド側板状脚（１）と、第１中間板状脚（３）を連結して前方ベッド体（１６）を形成する長尺桁（５）と、第２中間板状脚（４）と、フット側板状脚（２）を連結して後方ベッド体（１７）を形成する長尺桁（５’）と、第１中間板状脚（３）と、第２中間板状脚（４）を連結する繋ぎ桁（１２）と、が備えられ、繋ぎ桁（１２）に設けられた複数の下係止溝（９）の中から、溝間の長さが異なる２つの下係止溝（９）を使用することにより、前方ベッド体（１６）と後方ベッド体（１７）の間の長さを変更可能としたことを特徴とする。
【０００６】
本発明による他の段ボールベッドは、段ボールからなる嵌め込み式の段ボールベッドであって、ヘッド側板状脚（１）と、フット側板状脚（２）と、第１中間板状脚（３）と、第２中間板状脚（４）と、第１中間板状脚（３）の通し溝（８、１０）を通して、ヘッド側板状脚（１）と第２中間板状脚（４）を連結し、前方ベッド体（１６）を形成する長尺桁（５）と、第２中間板状脚（４）の通し溝（８、１０）を通して、フット側板状脚（２）と第１中間板状脚（３）を連結し、後方ベッド体（１７）を形成する長尺桁（５’）と、が備えられ、前方ベッド体（１６）と後方ベッド体（１７）が、互いにスライド可能としたことを特徴とする。
【０００７】
ヘッド側板状脚（１）は、左右に綴じ代（２０、２１）を有し、中詰め板（１ａ）を挟んで、上下に折り畳まれ、ベッド面となる高さには、複数の係止孔（６）が設けられることを特徴とする。
【０００８】
フット側板状脚（２）と、第１中間板状脚（３）と、第２中間板状脚（４）と、はいずれも上綴じ代（１８）、下綴じ代（１９）、左綴じ代（２０）、右綴じ代（２１）を備えており、中詰め板（２ａ、３ａ、４ａ）を挟んで、上下に折り畳み、各綴じ代を内側に綴じ込むことを特徴とする。
【０００９】
前方ベッド体（１６）と後方ベッド体（１７）の上部に、天板（１３）が設けられることを特徴とする。
【００１０】
長尺桁（５、５’）は、長手方向に並行な両側が、内側に折り畳まれて形成されることことを特徴とする。
【発明の効果】
【００１１】
本発明による段ボールベッドによれば、前方ベッド体（１６）と後方ベッド体（１７）の間を繋ぎ桁（１２）で連結したので、繋ぎ桁（１２）に設けられたどの下係止溝（９）を使用するかによって、前方ベッド体（１６）と後方ベッド体（１７）の間の長さを変更できる。つまり、ベッドの長さを変更できる。また、ヘッド側板状脚（１）とフット側板状脚（２）と第１中間板状脚（３）と第２中間板状脚（４）は、板状であるから、脚を堅固に構成できる。さらに、長尺桁（５、５’）を板状脚に交差するように架け渡したので、ベッド面を堅固な構造とできる。
【００１２】
本発明による他の段ボールベッドによれば、前方ベッド体（１６）と後方ベッド体（１７）を重なるようにしかもスライド可能に配置したので、ベッドの長さ自在に設定して、組み立てることができる。また、ヘッド側板状脚（１）と、フット側板状脚（２）と第１中間板状脚（３）と第２中間板状脚（４）は、板状の脚であるから、脚を堅固に構成できる。さらに、長尺桁（５、５’）を板状脚に交差するように架け渡したので、ベッド面を堅固な構造とできる。
【００１３】
ヘッド側板状脚（１）には、複数の係止孔（６）を設けたので、長尺桁（５）を挿入でき、長尺桁（５）の一端を堅固に支えることができる。
【００１４】
フット側板状脚（２）と第１中間板状脚（３）と第２中間板状脚（４）には、いずれも上綴じ代（１８）、下綴じ代（１９）、左綴じ代（２０）、右綴じ代（２１）を設け、中詰め板（２ａ、３ａ、４ａ）を挟んで、上下に折り畳み、各綴じ代を内側に綴じ込むようにしたので、織り畳んだ状態では、矩形板状に保持できる。板厚は、段ボール紙４枚相当になるので、堅固な構造とできる。
【００１５】
前方ベッド体（１６）と後方ベッド体（１７）の上部に、天板（１３）を設けたので、ベッド面を平坦にできる。薄いマットを使用しても、長尺桁（５、５’）のゴツゴツ感がなく、使い勝手がよい。
【００１６】
長尺桁（５、５’）は、長手方向に並行な両側が、内側に折り畳まれて形成されるので、強度を有するものにでき、また溝に係合して使用するので、束ねるためのテープが必要ない。
【図面の簡単な説明】
【００１７】
【図１】本発明による段ボールベッドの外観写真である。（実施例１）
【図２】図１の段ボールベッドの内部構造を示す写真である。
【図３】図２の段ボールベッドの分解写真である。
【図４】図１の天板の写真である。
【図５】図１の中敷きの写真である。
【図６】図２の段ボールベッドの構造を示す各部の写真である。
【図７】フット側板状脚の段ボール切り出し図である。
【図８】フット側板状脚用の中詰め板の段ボール切り出し図である。
【図９】フット側板状脚の折り畳み状態を示す斜視図である。
【図１０】第１、第２中間板状脚の段ボール切り出し図である。
【図１１】第１、第２中間板状脚用の中詰め板の段ボール切り出し図である。
【図１２】ヘッド側板状脚の段ボール切り出し図である。
【図１３】ヘッド側板状脚用の中詰め板の段ボール切り出し図である。
【図１４】天板の他の構成を示す説明図である。
【図１５】長尺桁の段ボール切り出し図である。
【図１６】長尺桁の斜視図である。
【図１７】繋ぎ桁の斜視図である。
【図１８】本発明による他の段ボールベッドの斜視図である。（実施例２）
【図１９】図１８のスライド構造の説明図である。
【図２０】図１８のスライド構造の説明図である。
【図２１】図１８の第１中間板状脚の段ボール切り出し図である。
【図２２】図１８の第２中間板状脚の段ボール切り出し図である。
【図２３】長尺桁の他の段ボール切り出し図である。
【発明を実施するための形態】
【００１８】
以下、図面を参照して、本発明による段ボールベッドを詳しく説明する。
【実施例１】
【００１９】
図１は、本発明による段ボールベッド１００の外観写真である。段ボールベッド１００は、ヘッド側板状脚１と、フット側板状脚２と、第１中間板状脚３と、第２中間板状脚４と、を備える。外側には天板１３が取り付けられ、ベッド面が平坦に形成される。天板１３は、サイドカバー片１４を有しており、ベッドの側面も覆っている。構成要素はすべて段ボールからなる。使用した段ボールは、表面と裏面と中芯からなる３層構造で、中芯には波形のボール紙が挟み込まれる。段ボール表面を木目調に印刷することで、木製のもと差のない見た目にできる。図１の段ボールベッド１００は、長さが２ｍ、幅が０．９ｍ、高さが０．４５ｍである。この寸法に限るものではなく、子供用のベッド寸法にもできる
【００２０】
図２は、図１の段ボールベッド１００の内部構造を示す写真である。ヘッド側板状脚１と第１中間板状脚３の上部が、５本の長尺桁５で連結される。一方、フット側板状脚２と第２中間板状脚４の上部が、５本の長尺桁５’で連結される。長尺桁５、５’は同じ構造のものである。なお、写真では見えにくいが、奥側の床に長尺桁５と長尺桁５’が各１本ずつ設けられるので、長尺桁５、５’は、全部で１２本が使用される。第１中間板状脚３と第２中間板状脚４は、繋ぎ桁１２で連結される。連結は、すべて嵌め込みである。ヘッド側板状脚１には、５個の係止孔６が設けられ、長尺桁５の一端が係止される。ヘッド側板状脚１と第１中間板状脚３と第２中間板状脚４とフット側板状脚２のいずれも、スリット１１が形成されており、天板１３の端部が差込まれる。
【００２１】
図３は、図２の段ボールベッド１００の分解写真である。前方ベッド体１６と、後方ベッド体１７の２つに分離できる。前方ベッド体１６と後方ベッド体１７の間は、４本の繋ぎ桁１２で連結される。繋ぎ桁１２’は、写真奥の第１中間板状脚３と第２中間板状脚４の底部を連結する。繋ぎ桁１２には、複数の下係止溝９が設けられ、溝が下向きで使用されるので下係止溝９と表記しており、下係止溝９が、第１中間板状脚３と第２中間板状脚４の上係止溝７に係合する。図３では、繋ぎ桁１２の下係止溝９は３個なので、これをａ、ｂ、ｃとすると、ａとｃの溝を使用するか、ｂとｃの溝を使用するかで、前方ベッド体１６と後方ベッド体１７の間の長さを変更できる。つまり、ベッドの長さを伸縮可能にできる。ベッドの組み立て時に長さを決めて組み立てることができる。なお、繋ぎ桁１２’では、溝が上向きとなるように使用されるので、上係止溝７と表記している。
【００２２】
図４は、図１の天板１３の写真である。天板１３は３枚で構成した。前方のサイドカバー片１４は、独立させているが、他のサイドカバー片１４は天板１３と一体に形成した。ベッドの長さが長くなる場合に備えて、図示しないが、短いサイドカバー片１４が用意される。
【００２３】
図５は、図１の中敷き１５の写真である。天板１３の下側に、中敷き１５を設けてもよい。ベッド面のクッション性が向上できる。
【００２４】
図６は、図２の段ボールベッド１００の構造を示す各部の写真である。丸囲み数字１では、第２中間板状脚４に、長尺桁５’が係止されることを示す。丸囲み数字２では、長尺桁５が、ヘッド側板状脚１の係止孔６に係止されることを示す。丸囲み数字３では、繋ぎ桁１２’が、第１中間板状脚３と第２中間板状脚４の底部を連結している。丸囲み数字４では、４本の繋ぎ桁１２の取り付け状態を示す。丸囲み数字５では、第１中間板状脚３と第２中間板状脚４の底部に、長尺桁５と長尺桁５’が使用されることを示す。丸囲み数字６では、第２中間板状脚４に、長尺桁５’が係止されることを示す。
【００２５】
図７は、フット側板状脚２の段ボール切り出し図である。円に縦スジの入った図形は、実際にはなく、段ボールの中芯の波形の方向を示す。この図では、上から下に向かって縦スジがあるので、上下方向に強度を有する板状脚にできる。上綴じ代１８、下綴じ代１９、左綴じ代２０、右綴じ代２１が設けられ、点線に沿って折り返す。下半分を上半分側に重ねるように折り返す。下係止溝９の位置が、床に当接することになる。スリット１１は天板１３を固定するためのものである。上係止溝７は折り返した状態では５個あって、５本の長尺桁５’の下係止溝９と係合させる。縦横の寸法は、実施例であり、これに限られるものではない。
【００２６】
図８は、フット側板状脚２用の中詰め板２ａの段ボール切り出し図である。下半分を上半分側に重ねるように折り返す。そして、折り返したフット側板状脚２の中に挿入する。フット側板状脚２は折り返した状態では、６層となる。
【００２７】
図９は、フット側板状脚２の折り畳み状態を示す斜視図である。上綴じ代１８と、下綴じ代１９を内側に折り畳むので、折り畳んだ状態では、矩形板状に保持できる。ほどけて広がることがない。
【００２８】
図１０は、第１、第２中間板状脚３（４）の段ボール切り出し図である。上綴じ代１８、下綴じ代１９、左綴じ代２０、右綴じ代２１が設けられ、点線に沿って折り返す。下半分を上半分側に重ねるように折り返す。下係止溝９の位置が、床に当接することになる。スリット１１は、天板１３を固定するためのものである。上係止溝７は折り畳んだ状態では９個あって、５本の長尺桁（５又は５’）と、４本の繋ぎ桁１２の合計９個の下係止溝９と係合させる。
【００２９】
図１１は、第１、第２中間板状脚３（４）用の中詰め板３ａ（４ａ）の段ボール切り出し図である。下半分を上半分側に重ねるように折り返す。そして、折り返したフット側板状脚２の中に挿入する。フット側板状脚２は、折り返した状態では６層となる。これににより、ベッドの上下方向の荷重を座屈せずに受け止めることができる。
【００３０】
図１２は、ヘッド側板状脚１の段ボール切り出し図である。上半分を下半分側に重ねるように折り返す。中央の部分が、ヘッド側板状脚１の頂部となる。左綴じ代２０と右綴じ代２１は、内側に折り曲げられる。係止孔６は、折り畳んだ状態で５個あって、５本の長尺桁５の下係止溝９と係合する。スリット１１は、天板１３を固定するためのものである。下係止溝９は、床置きの長尺桁５の溝と係合される。
【００３１】
図１３は、ヘッド側板状脚１用の中詰め板１ａの段ボール切り出し図である。上半分を下半分側に重ねるように折り返す。そして、折り返したヘッド側板状脚１の中に挿入する。
【００３２】
図１４は、天板１３の他の構成を示す説明図である。この例では、天板１３が４枚で構成される。側面は、断面が四角となるように折り畳む。断面が四角の部分はホドけるおそれもあるので、図示しないが、スリットに差し込まれ、天板１３の側面が広がらないようにする長尺な押え板が設けられる。
【００３３】
図１５は、長尺桁（５、５’）の段ボール切り出し図である。寸法（ｍｍ）は、実施例であり、これに限られるものではない。縦スジの入った円の図形は、実際にはなく段ボールの中芯の波形の方向を示す。点線に沿って折り畳み、長尺桁（５、５’）とされる。長尺桁（５、５’）は、長手方向に並行な両側が、内側に折り畳まれて形成される。
【００３４】
図１６は、長尺桁（５、５’）の斜視図である。長尺桁（５、５’）には、２個の下係止溝９が設けられる。長尺桁５では、一方の下係止溝９が、ヘッド側板状脚１の係止孔６に係止され、他方の下係止溝９は、第１中間板状脚３の上係止溝７に係止される。長尺桁５’では、一方の下係止溝９が、フット側板状脚２の上係止溝７に係止され、他方の下係止溝９は、第２中間板状脚４の上係止溝７に係止される。
【００３５】
図１７は、繋ぎ桁１２の斜視図である。段ボール切り出し図は示さないが、図１５に示す長尺桁（５、５’）の段ボール切り出し図と同様に作成できる。繋ぎ桁１２には、３個の下係止溝９が設けられる。繋ぎ桁１２の写真は、図３に示す。
【実施例２】
【００３６】
図１８は、本発明による他の段ボールベッド１００斜視図である。段ボールベッド１００は、ヘッド側板状脚１と、フット側板状脚２と、第１中間板状脚３と、第２中間板状脚４と、を備える。実施例１では、ヘッド側板状脚１が長尺桁５で第１中間板状脚３と連結されたが、実施例２では、ヘッド側板状脚１が長尺桁５で第２中間板状脚４と連結される。また、実施例１では、フット側板状脚２が長尺桁５’で第２中間板状脚４と連結されたが、実施例２では、フット側板状脚２が長尺桁５’で第２中間板状脚３と連結される。第１中間板状脚３と第２中間板状脚４の位置関係は変わらない。長尺桁５は第１中間板状脚３には係止されない。一方、長尺桁５’は第２中間板状脚４には係止されない。そのため、前方ベッド体１６と、後方ベッド体１７をスライド可能にできる。
【００３７】
図１９は、図１８のスライド構造の説明図である。（Ａ）に示す後方ベッド体１７を左方向にスライドさせて押し込むと、（Ｂ）に示すように、ベッド長を短くできる。（Ｂ）の状態から、後方ベッド体１７を右方向にスライドさせれば、（Ａ）に示すようにベッド長を（Ｂ）より長くできる。
【００３８】
図２０は、図１８のスライド構造の説明図である。（Ａ）は、フット側板状脚２と第１中間板状脚３が係止される場合で、長尺桁５’と第１中間板状脚３の係止状態を示す。（Ａ）に示すように、第１中間板状脚３の上係止溝７は、長尺桁５’の下係止溝９と第１中間板状脚３の上係止溝７に係止される。一方、（Ｂ）に示すように、長尺桁５’は、第２中間板状脚４に掛かるが、第２中間板状脚４の該当部分には、上通し溝８があるので、また長尺桁５’の該当部分には溝がないので、互いに係止することがない。そのため、後方ベッド体１７が、第２中間板状脚４に邪魔されることなくスライドできる。
【００３９】
図２１は、図１８の第１中間板状脚３の段ボール切り出し図である。第１中間板状脚３は、ヘッド側板状脚１から出た４本の長尺桁５が通るが、係止させないように上通し溝８が形成されている。
【００４０】
図２２は、図１８の第２中間板状脚４の段ボール切り出し図である。第２中間板状脚４は、フット側板状脚２から出た３本の長尺桁５’が通るが、係止させないように３個の上通し溝８が形成されている。上通し溝８の個数は、ベッドサイズの寸法により、適宜、決めることができる。
【００４１】
図２３は、長尺桁の他の段ボール切り出し図である。図１５では、長手方向に並行な両側を内側に折り畳んで長尺桁（５、５’）を形成したが、図２３のように形成することもできる。具体的には、図２３に示すように、一端（下端）を他端方向（上端方向）に折り返してゆくことで形成する。
【産業上の利用可能性】
【００４２】
本発明による段ボールベッドは、ベッドの長さが伸縮できるので、使い勝手がよい段ボールベッドとして好適である。
【符号の説明】
【００４３】
１    ヘッド側板状脚
１ａ    中詰め板
２    フット側板状脚
２ａ    中詰め板
３    第１中間板状脚
３ａ    中詰め板
４    第２中間板状脚
４ａ    中詰め板
５、５’    長尺桁
６    係止孔
７    上係止溝
８    上通し溝
９    下係止溝
１０    下通し溝
１１    スリット
１２    繋ぎ桁
１３    天板
１４    サイドカバー片
１５    中敷き板
１６    前方ベッド体
１７    後方ベッド体
１８    上綴じ代
１９    下綴じ代
２０    左綴じ代
２１    右綴じ代
１００    段ボールベッド
【図１】
2019122644.tif 000003
【図２】
2019122644.tif 000004
【図３】
2019122644.tif 000005
【図４】
2019122644.tif 000006
【図５】
2019122644.tif 000007
【図６】
2019122644.tif 000008
【図７】
2019122644.tif 000009
【図８】
2019122644.tif 000010
【図９】
2019122644.tif 000011
【図１０】
2019122644.tif 000012
【図１１】
2019122644.tif 000013
【図１２】
2019122644.tif 000014
【図１３】
2019122644.tif 000015
【図１４】
2019122644.tif 000016
【図１５】
2019122644.tif 000017
【図１６】
2019122644.tif 000018
【図１７】
2019122644.tif 000019
【図１８】
2019122644.tif 000020
【図１９】
2019122644.tif 000021
【図２０】
2019122644.tif 000022
【図２１】
2019122644.tif 000023
【図２２】
2019122644.tif 000024
【図２３】
2019122644.tif 000025